【手続補正書】
【提出日】平成20年7月7日(2008.7.7)
【手続補正１】
【補正対象書類名】明細書
【補正対象項目名】特許請求の範囲
【補正方法】変更
【補正の内容】
【特許請求の範囲】
【請求項１】  基材上に光熱変換素材を含有する層を有する印刷版材料において、該光熱変換素材が４００℃の酸化雰囲気中で実質的に変質しない素材であり、かつ該光熱変換素材がＣｕ−Ｃｒ−Ｍｎ系またはＣｕ−Ｆｅ−Ｍｎ系の複合金属酸化物を含むことを特徴とする印刷版材料。
【請求項２】  光熱変換素材の平均１次粒子径が０．００１〜１．０μｍであることを特徴とする請求項１記載の印刷版材料。
【請求項３】  平均１次粒子径が０．０１〜０．５μｍであることを特徴とする請求項２記載の印刷版材料。
【請求項４】  光熱変換素材が、その製造過程において、４００℃以上の温度の酸化雰囲気下に置かれていることを特徴とする請求項１〜３のいずれか１項記載の印刷版材料。
【請求項５】  基材上に多孔質である親水性層を有する印刷版材料において、該親水性層を構成する素材の９１質量％以上が炭素原子を含まない素材であることを特徴とする印刷版材料。
【請求項６】  親水性層を構成する素材の９５質量％以上が炭素原子を含まない素材であることを特徴とする請求項５記載の印刷版材料。
【請求項７】  炭素原子を含まない素材が金属酸化物を含むことを特徴とする請求項５又は６記載の印刷版材料。
【請求項８】  金属酸化物がコロイダルシリカを含むことを特徴とする請求項７記載の印刷版材料。
【請求項９】  コロイダルシリカがネックレス状コロイダルシリカを含むことを特徴とする請求項８記載の印刷版材料。
【請求項１０】  コロイダルシリカが平均粒径１〜２０ｎｍの微粒子シリカを含むことを特徴とする請求項８記載の印刷版材料。
【請求項１１】  コロイダルシリカがコロイド溶液としてアルカリ性を呈することを特徴とする請求項８〜１０のいずれか１項記載の印刷版材料。
【請求項１２】  金属酸化物が多孔質金属酸化物粒子を含むことを特徴とする請求項７〜１１のいずれか１項記載の印刷版材料。
【請求項１３】  多孔質金属酸化物粒子がシリカ粒子、アルミノシリケート粒子、ゼオライト粒子のいずれかを含むことを特徴とする請求項１２記載の印刷版材料。
【請求項１４】  金属酸化物が層状粘土鉱物粒子を含むことを特徴とする請求項７〜１３のいずれか１項記載の印刷版材料。
【請求項１５】  親水性層が含有する炭素原子を含む素材が水溶性であり、かつその少なくとも一部が水に溶出可能な状態で存在することを特徴とする請求項５〜１４のいずれか１項記載の印刷版材料。
【請求項１６】  炭素原子を含む素材が糖類を含むことを特徴とする請求項１５記載の印刷版材料。
【請求項１７】  糖類が多糖類であることを特徴とする請求項１６記載の印刷版材料。
【請求項１８】  親水性層が界面活性剤を含むことを特徴とする請求項５〜１７のいずれか１項記載の印刷版材料。
【請求項１９】  界面活性剤がＳｉ原子を含むことを特徴とする請求項１８記載の印刷版材料。
【請求項２０】  親水性層がリン酸塩を含むことを特徴とする請求項５〜１９のいずれか１項記載の印刷版材料。
【請求項２１】  親水性層が光熱変換素材を含み、かつ該光熱変換素材が４００℃の酸化雰囲気中で実質的に変質しない素材であって、Ｃｕ−Ｃｒ−Ｍｎ系またはＣｕ−Ｆｅ−Ｍｎ系の複合金属酸化物を含むことを特徴とする請求項５〜２０のいずれか１項記載の印刷版材料。
【請求項２２】  光熱変換素材の平均１次粒子径が０．００１〜１．０μｍであることを特徴とする請求項２１記載の印刷版材料。
【請求項２３】  光熱変換素材の平均１次粒子径が０．０１〜０．５μｍであることを特徴とする請求項２２記載の印刷版材料。
【請求項２４】  光熱変換素材が、その製造過程において、４００℃以上の温度の酸化雰囲気下に置かれていることを特徴とする請求項２２又は２３記載の印刷版材料。
【請求項２５】  基材上にさらに画像形成を可能とする機能層を有することを特徴とする請求項１〜２４のいずれか１項記載の印刷版材料。
【請求項２６】  画像形成を可能とする機能層が熱により画像形成することを特徴とする請求項２５記載の印刷版材料。
【請求項２７】  請求項２６記載の印刷版材料を用い、該印刷版材料に近赤外線レーザー及び赤外線レーザーから選ばれる少なくとも１種により画像形成することを特徴とする画像形成方法。
【請求項２８】  請求項５〜２０のいずれか１項記載の印刷版材料を用い該印刷版材料の親水性層上に画像様に親油性素材を付与することにより画像形成することを特徴とする画像形成方法。
【請求項２９】  親油性素材の付与が熱転写方式により行われることを特徴とする請求項２８記載の画像形成方法。
【請求項３０】  親油性素材の付与がインクジェット方式により行われることを特徴とする請求項２８記載の画像形成方法。
【請求項３１】  基材上に熱によりアブレートする層と、親水性層と、水溶性素材を含有する層をこの順に有することを特徴とする請求項５〜２０のいずれか１項記載の印刷版材料。
【請求項３２】  水溶性素材が糖類であることを特徴とする請求項３１記載の印刷版材料。
【請求項３３】  糖類が多糖類であることを特徴とする請求項３２記載の印刷版材料。
【請求項３４】  基材上に親水性層と、熱溶融性微粒子および熱可塑性微粒子から選ばれる少なくとも１種を含有する層をこの順に有することを特徴とする請求項５〜２４のいずれか１項記載の印刷版材料。
【請求項３５】  熱溶融性微粒子および熱可塑性微粒子から選ばれる少なくとも１種を含有する層が更に水溶性素材を含有することを特徴とする請求項３４記載の印刷版材料。
【請求項３６】  水溶性素材が糖類であることを特徴とする請求項３５記載の印刷版材料。
【請求項３７】  糖類がオリゴ糖であることを特徴とする請求項３６記載の印刷版材料。
【請求項３８】  請求項５〜２６及び請求項３１〜３７のいずれか１項記載の印刷版材料に画像形成を行った後に、アルコールの含有量が５質量％以下である湿し水を用いて印刷を行う印刷方法。
【請求項３９】  アルコールを実質的に含有していない湿し水を用いて印刷を行うことを特徴とする請求項３８記載の印刷方法。
【請求項４０】  画像形成を印刷装置上で行うことを特徴とする請求項３８又は３９記載の印刷方法。
【手続補正２】
【補正対象書類名】明細書
【補正対象項目名】００１６
【補正方法】削除
【補正の内容】
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】変更
【補正の内容】
【００２０】
１．基材上に光熱変換素材を含有する層を有する印刷版材料において、該光熱変換素材が４００℃の酸化雰囲気中で実質的に変質しない素材であり、かつ該光熱変換素材がＣｕ−Ｃｒ−Ｍｎ系またはＣｕ−Ｆｅ−Ｍｎ系の複合金属酸化物を含むことを特徴とする印刷版材料。
【手続補正７】
【補正対象書類名】明細書
【補正対象項目名】００２１
【補正方法】変更
【補正の内容】
【００２１】
２光熱変換素材の平均１次粒子径が０．００１〜１．０μｍであることを特徴とする前記１記載の印刷版材料。
【手続補正８】
【補正対象書類名】明細書
【補正対象項目名】００２２
【補正方法】変更
【補正の内容】
【００２２】
３．平均１次粒子径が０．０１〜０．５μｍであることを特徴とする前記２記載の印刷版材料。
【手続補正９】
【補正対象書類名】明細書
【補正対象項目名】００２３
【補正方法】変更
【補正の内容】
【００２３】
４．光熱変換素材が、その製造過程において、４００℃以上の温度の酸化雰囲気下に置かれていることを特徴とする前記１〜３のいずれか１項記載の印刷版材料。
【手続補正１０】
【補正対象書類名】明細書
【補正対象項目名】００２４
【補正方法】変更
【補正の内容】
【００２４】
５．基材上に多孔質である親水性層を有する印刷版材料において、該親水性層を構成する素材の９１質量％以上が炭素原子を含まない素材であることを特徴とする印刷版材料。
【手続補正１１】
【補正対象書類名】明細書
【補正対象項目名】００２５
【補正方法】変更
【補正の内容】
【００２５】
６．親水性層を構成する素材の９５質量％以上が炭素原子を含まない素材であることを特徴とする前記５記載の印刷版材料。
【手続補正１２】
【補正対象書類名】明細書
【補正対象項目名】００２６
【補正方法】変更
【補正の内容】
【００２６】
７．炭素原子を含まない素材が金属酸化物を含むことを特徴とする前記５又は６記載の印刷版材料。
【手続補正１３】
【補正対象書類名】明細書
【補正対象項目名】００２７
【補正方法】変更
【補正の内容】
【００２７】
８．金属酸化物がコロイダルシリカを含むことを特徴とする前記７記載の印刷版材料。
【手続補正１４】
【補正対象書類名】明細書
【補正対象項目名】００２８
【補正方法】変更
【補正の内容】
【００２８】
９．コロイダルシリカがネックレス状コロイダルシリカを含むことを特徴とする前記８記載の印刷版材料。
【手続補正１５】
【補正対象書類名】明細書
【補正対象項目名】００２９
【補正方法】変更
【補正の内容】
【００２９】
１０．コロイダルシリカが平均粒径１〜２０ｎｍの微粒子シリカを含むことを特徴とする前記８記載の印刷版材料。
【手続補正１６】
【補正対象書類名】明細書
【補正対象項目名】００３０
【補正方法】変更
【補正の内容】
【００３０】
１１．コロイダルシリカがコロイド溶液としてアルカリ性を呈することを特徴とする前記８〜１０のいずれか１項記載の印刷版材料。
【手続補正１７】
【補正対象書類名】明細書
【補正対象項目名】００３１
【補正方法】変更
【補正の内容】
【００３１】
１２．金属酸化物が多孔質金属酸化物粒子を含むことを特徴とする前記７〜１１のいずれか１項記載の印刷版材料。
【手続補正１８】
【補正対象書類名】明細書
【補正対象項目名】００３２
【補正方法】変更
【補正の内容】
【００３２】
１３．多孔質金属酸化物粒子がシリカ粒子、アルミノシリケート粒子、ゼオライト粒子のいずれかを含むことを特徴とする前記１２記載の印刷版材料。
【手続補正１９】
【補正対象書類名】明細書
【補正対象項目名】００３３
【補正方法】変更
【補正の内容】
【００３３】
１４．金属酸化物が層状粘土鉱物粒子を含むことを特徴とする前記７〜１３のいずれか１項記載の印刷版材料。
【手続補正２０】
【補正対象書類名】明細書
【補正対象項目名】００３４
【補正方法】変更
【補正の内容】
【００３４】
１５．親水性層が含有する炭素原子を含む素材が水溶性であり、かつその少なくとも一部が水に溶出可能な状態で存在することを特徴とする前記５〜１４のいずれか１項記載の印刷版材料。
【手続補正２１】
【補正対象書類名】明細書
【補正対象項目名】００３５
【補正方法】変更
【補正の内容】
【００３５】
１６．炭素原子を含む素材が糖類を含むことを特徴とする前記１５記載の印刷版材料。
【手続補正２２】
【補正対象書類名】明細書
【補正対象項目名】００３６
【補正方法】変更
【補正の内容】
【００３６】
１７．糖類が多糖類であることを特徴とする前記１６記載の印刷版材料。
１８．親水性層が界面活性剤を含むことを特徴とする前記５〜１７のいずれか１項記載の印刷版材料。
【手続補正２３】
【補正対象書類名】明細書
【補正対象項目名】００３７
【補正方法】変更
【補正の内容】
【００３７】
１９．界面活性剤がＳｉ原子を含むことを特徴とする前記１８記載の印刷版材料。
【手続補正２４】
【補正対象書類名】明細書
【補正対象項目名】００３８
【補正方法】変更
【補正の内容】
【００３８】
２０．親水性層がリン酸塩を含むことを特徴とする前記５〜１９のいずれか１項記載の印刷版材料。
【手続補正２５】
【補正対象書類名】明細書
【補正対象項目名】００３９
【補正方法】変更
【補正の内容】
【００３９】
２１．親水性層が光熱変換素材を含み、かつ該光熱変換素材が４００℃の酸化雰囲気中で実質的に変質しない素材であって、Ｃｕ−Ｃｒ−Ｍｎ系またはＣｕ−Ｆｅ−Ｍｎ系の複合金属酸化物を含むことを特徴とする前記５〜２０のいずれか１項記載の印刷版材料。
【手続補正２６】
【補正対象書類名】明細書
【補正対象項目名】００４０
【補正方法】削除
【補正の内容】
【手続補正２７】
【補正対象書類名】明細書
【補正対象項目名】００４１
【補正方法】削除
【補正の内容】
【手続補正２８】
【補正対象書類名】明細書
【補正対象項目名】００４２
【補正方法】削除
【補正の内容】
【手続補正２９】
【補正対象書類名】明細書
【補正対象項目名】００４３
【補正方法】削除
【補正の内容】
【手続補正３０】
【補正対象書類名】明細書
【補正対象項目名】００４４
【補正方法】削除
【補正の内容】
【手続補正３１】
【補正対象書類名】明細書
【補正対象項目名】００４５
【補正方法】変更
【補正の内容】
【００４５】
２２．複合金属酸化物がＣｕ−Ｃｒ−Ｍｎ系またはＣｕ−Ｆｅ−Ｍｎ系の複合金属酸化物を含むことを特徴とする前記２１記載の印刷版材料。
【手続補正３２】
【補正対象書類名】明細書
【補正対象項目名】００４６
【補正方法】変更
【補正の内容】
【００４６】
２３．光熱変換素材の平均１次粒子径が０．０１〜０．５μｍであることを特徴とする前記２２記載の印刷版材料。
【手続補正３３】
【補正対象書類名】明細書
【補正対象項目名】００４７
【補正方法】変更
【補正の内容】
【００４７】
２４．光熱変換素材が、その製造過程において、４００℃以上の温度の酸化雰囲気下に置かれていることを特徴とする前記２２又は２３記載の印刷版材料。
【手続補正３４】
【補正対象書類名】明細書
【補正対象項目名】００４８
【補正方法】変更
【補正の内容】
【００４８】
２５．基材上にさらに画像形成を可能とする機能層を有することを特徴とする前記１〜２４のいずれか１項記載の印刷版材料。
【手続補正３５】
【補正対象書類名】明細書
【補正対象項目名】００４９
【補正方法】変更
【補正の内容】
【００４９】
２６．画像形成を可能とする機能層が熱により画像形成することを特徴とする前記２５記載の印刷版材料。
【手続補正３６】
【補正対象書類名】明細書
【補正対象項目名】００５０
【補正方法】変更
【補正の内容】
【００５０】
２７．前記２６記載の印刷版材料を用い、該印刷版材料に近赤外線レーザー及び赤外線レーザーから選ばれる少なくとも１種により画像形成することを特徴とする画像形成方法。
【手続補正３７】
【補正対象書類名】明細書
【補正対象項目名】００５１
【補正方法】変更
【補正の内容】
【００５１】
２８．前記５〜２０のいずれか１項記載の印刷版材料を用い該印刷版材料の親水性層上に画像様に親油性素材を付与することにより画像形成することを特徴とする画像形成方法。
【手続補正３８】
【補正対象書類名】明細書
【補正対象項目名】００５２
【補正方法】変更
【補正の内容】
【００５２】
２９．親油性素材の付与が熱転写方式により行われることを特徴とする前記２８記載の画像形成方法。
【手続補正３９】
【補正対象書類名】明細書
【補正対象項目名】００５３
【補正方法】変更
【補正の内容】
【００５３】
３０．親油性素材の付与がインクジェット方式により行われることを特徴とする前記２８記載の画像形成方法。
【手続補正４０】
【補正対象書類名】明細書
【補正対象項目名】００５４
【補正方法】変更
【補正の内容】
【００５４】
３１．基材上に熱によりアブレートする層と、親水性層と、水溶性素材を含有する層をこの順に有することを特徴とする前記５〜２０のいずれか１項記載の印刷版材料。
【手続補正４１】
【補正対象書類名】明細書
【補正対象項目名】００５５
【補正方法】変更
【補正の内容】
【００５５】
３２．水溶性素材が糖類であることを特徴とする前記３１記載の印刷版材料。
３３．糖類が多糖類であることを特徴とする前記３２記載の印刷版材料。
【手続補正４２】
【補正対象書類名】明細書
【補正対象項目名】００５６
【補正方法】変更
【補正の内容】
【００５６】
３４．基材上に親水性層と、熱溶融性微粒子および熱可塑性微粒子から選ばれる少なくとも１種を含有する層をこの順に有することを特徴とする前記５〜２４のいずれか１項記載の印刷版材料。
【手続補正４３】
【補正対象書類名】明細書
【補正対象項目名】００５７
【補正方法】変更
【補正の内容】
【００５７】
３５．熱溶融性微粒子および熱可塑性微粒子から選ばれる少なくとも１種を含有する層が更に水溶性素材を含有することを特徴とする前記３４記載の印刷版材料。
【手続補正４４】
【補正対象書類名】明細書
【補正対象項目名】００５８
【補正方法】変更
【補正の内容】
【００５８】
３６．水溶性素材が糖類であることを特徴とする前記３５記載の印刷版材料。
３７．糖類がオリゴ糖であることを特徴とする前記３６記載の印刷版材料。
【手続補正４５】
【補正対象書類名】明細書
【補正対象項目名】００５９
【補正方法】変更
【補正の内容】
【００５９】
３８．前記５〜２６及び前記３１〜３７のいずれか１項記載の印刷版材料に画像形成を行った後に、アルコールの含有量が５質量％以下である湿し水を用いて印刷を行う印刷方法。
【手続補正４６】
【補正対象書類名】明細書
【補正対象項目名】００６０
【補正方法】変更
【補正の内容】
【００６０】
３９．アルコールを実質的に含有していない湿し水を用いて印刷を行うことを特徴とする前記３８記載の印刷方法。
【手続補正４７】
【補正対象書類名】明細書
【補正対象項目名】００６１
【補正方法】変更
【補正の内容】
【００６１】
４０．画像形成を印刷装置上で行うことを特徴とする前記３８又は３９記載の印刷方法。